(57)【要約】【課題】画面表示を１画面表示と多画面表示とに切り替える場合であっても、各表示態様における表示品質の向上を図る。【解決手段】液晶パネル３２１に画像を表示する表示部３０と、液晶パネル３２１に１つの表示領域を配置する１画面表示と、液晶パネル３２１を複数の表示領域に分割する多画面表示とを切り替えて、表示領域毎に画像を表示させる表示制御部１３と、液晶パネル３２１における表示領域の配置状態に対応して、表示領域毎に画像を補正するガンマ補正実行部２２及び色むら補正実行部２３とを備える。【選択図】図４
2016109840.tif 000002
【特許請求の範囲】
【請求項１】
表示パネルに画像を表示する表示部と、
前記表示パネルに１つの表示領域を配置する１画面表示と、前記表示パネルを複数の表
示領域に分割する多画面表示とを切り替えて、表示領域毎に画像を表示させる表示制御部
と、
前記表示パネルにおける前記表示領域の配置状態に対応して、前記表示領域毎に画像を
補正する補正部と、
を備えることを特徴とする表示装置。
【請求項２】
前記補正部は、前記表示パネルの表示特性に基づいて画像を補正すること、を特徴とす
る請求項１記載の表示装置。
【請求項３】
前記表示領域毎に画像を調整し、調整後の画像を前記表示部に表示させる画像処理部を
備え、
前記補正部は、前記画像処理部により調整された画像を、前記表示領域の配置状態に対
応して補正すること、
を特徴とする請求項１又は２記載の表示装置。
【請求項４】
前記表示領域の配置状態に対応づけて補正データを記憶する記憶部を備え、
前記補正部は、前記表示領域の配置状態に対応する補正データを前記記憶部から取得し
、取得した補正データに基づき画像を補正すること、
を特徴とする請求項１から３のいずれかに記載の表示装置。
【請求項５】
前記記憶部は、前記表示領域の配置状態と、画像の表示画質に関する設定とに対応づけ
て補正データを記憶し、
前記補正部は、前記多画面表示において、前記表示パネルの第１の表示領域及び第２の
表示領域に画像を表示させる場合に、前記表示パネルにおける前記第１の表示領域の表示
位置と、前記第１の表示領域に表示させる画像の表示画質に関する設定とに対応する補正
データを用いて前記画像を補正し、前記表示パネルにおける前記第２の表示領域の表示位
置と、前記第２の表示領域に表示させる画像の表示画質に関する設定とに対応する補正デ
ータを用いて前記画像を補正すること、
を特徴とする請求項４記載の表示装置。
【請求項６】
前記記憶部は、前記補正データとして、画像のガンマ補正に使用するガンマ補正データ
を、前記表示領域の配置状態と、前記表示画質に関する設定とに対応づけて複数記憶する
こと、
を特徴とする請求項５記載の表示装置。
【請求項７】
前記記憶部は、前記補正データとして、画像の色むら補正に使用する色むら補正データ
を、前記表示領域の配置状態と、前記表示画質に関する設定とに対応づけて複数記憶する
こと、
を特徴とする請求項５又は６に記載の表示装置。
【請求項８】
表示パネルに画像を表示する表示部を備えた表示装置の制御方法であって、
前記表示パネルに１つの表示領域を配置する１画面表示と、前記表示パネルを複数の表
示領域に分割する多画面表示とを切り替えて、表示領域毎に画像を表示し、
前記表示パネルにおける前記表示領域の配置状態に対応して、前記表示領域毎に画像を
補正すること、
を特徴とする表示装置の制御方法。
【発明の詳細な説明】
【技術分野】
【０００１】
本発明は、表示装置、及び、表示装置の制御方法に関する。
【背景技術】
【０００２】
従来、表示装置の色再現性を向上させるための補正方法が種々提案されている（例えば
、特許文献１及び２参照）。
特許文献１では、色補正テーブルによる色補正について開示しており、この色補正テー
ブルは、明度が小さくなるにしたがって色変換量を小さくし、明度が所定値よりも小さく
なると色変換量がほぼゼロになるように設定されている。また、色補正テーブルによる色
補正は、明度が維持される方向に色点を移動させることによって、又は、明度が増加する
方向に色点を移動させることによって行われる。
また、特許文献２には、液晶パネル、ＰＤＰ、有機ＥＬパネル等の表示パネルを備えた
表示装置において、階調を変化させた場合のホワイトバランスの乱れ等を防止するため、
表示パネルを駆動する駆動信号をＬＵＴ（ルックアップテーブル）により補正している。
【先行技術文献】
【特許文献】
【０００３】
【特許文献１】特開２００３−１８４１５号公報
【特許文献２】特開２００６−１１３１５１号公報
【発明の概要】
【発明が解決しようとする課題】
【０００４】
近年の表示装置は、高画質化が進み、解像度の高い表示パネルが搭載されるようになっ
てきた。そして、このような高解像度のメリットを活かして、表示パネルを複数の表示領
域に分割して表示する多画面表示等の他の表示態様が提案されている。このため、表示装
置の色再現性を向上させるための色変換においても、他の表示態様への対応が望まれてい
た。
本発明は、上述した事情に鑑みてなされたものであり、画面表示を１画面表示と多画面
表示とに切り替える場合であっても、各表示態様における表示品質の向上を図ることを目
的とする。
【課題を解決するための手段】
【０００５】
上記目的を達成するために、本発明は、表示装置において、表示パネルに画像を表示す
る表示部と、前記表示パネルに１つの表示領域を配置する１画面表示と、前記表示パネル
を複数の表示領域に分割する多画面表示とを切り替えて、表示領域毎に画像を表示させる
表示制御部と、前記表示パネルにおける前記表示領域の配置状態に対応して、前記表示領
域毎に画像を補正する補正部とを備えることを特徴とする。
この構成によれば、画面表示を１画面表示と多画面表示とに切り替える場合であっても
、表示パネルの表示領域における配置状態に対応した画像の補正を行い、各表示態様にお
ける表示品質の向上を図ることができる。
【０００６】
また本発明は、上記表示装置において、前記補正部は、前記表示パネルの表示特性に基
づいて画像を補正することを特徴とする。
この構成によれば、表示パネルの表示特性に応じた補正を行い、表示品質の向上を図る
ことができる。
【０００７】
また本発明は、上記表示装置において、前記表示領域毎に画像を調整し、調整後の画像
を前記表示部に表示させる画像処理部を備え、前記補正部は、前記画像処理部により調整
された画像を、前記表示領域の配置状態に対応して補正することを特徴とする。
この構成によれば、画像に対し、表示領域の配置状態に対応した補正を行って、表示品
質の向上を図ることができる。
【０００８】
また本発明は、上記表示装置において、前記表示領域の配置状態に対応づけて補正デー
タを記憶する記憶部を備え、前記補正部は、前記表示領域の配置状態に対応する補正デー
タを前記記憶部から取得し、取得した補正データに基づき画像を補正することを特徴とす
る。
この構成によれば、表示領域の配置状態に対応する補正データにより画像を補正し、表
示品質の向上を図ることができる。
【０００９】
また本発明は、上記表示装置において、前記記憶部は、前記表示領域の配置状態と、画
像の表示画質に関する設定とに対応づけて補正データを記憶し、前記補正部は、前記多画
面表示において、前記表示パネルの第１の表示領域及び第２の表示領域に画像を表示させ
る場合に、前記表示パネルにおける前記第１の表示領域の表示位置と、前記第１の表示領
域に表示させる画像の表示画質に関する設定とに対応する補正データを用いて前記画像を
補正し、前記表示パネルにおける前記第２の表示領域の表示位置と、前記第２の表示領域
に表示させる画像の表示画質に関する設定とに対応する補正データを用いて前記画像を補
正することを特徴とする。
この構成によれば、表示領域の配置状態と、表示画質に関する設定とに応じた補正デー
タにより画像を補正して、表示品質の向上を計ることができる。
【００１０】
また本発明は、上記表示装置において、前記記憶部は、前記補正データとして、画像の
ガンマ補正に使用するガンマ補正データを、前記表示領域の配置状態と、前記表示画質に
関する設定とに対応づけて複数記憶することを特徴とする。
この構成によれば、表示パネルの表示領域の配置状態と、表示画質に関する設定とに応
じたガンマ補正データを用いて画像のガンマ補正を行い、表示品質の向上を計ることがで
きる。
【００１１】
また本発明は、上記表示装置において、前記記憶部は、前記補正データとして、画像の
色むら補正に使用する色むら補正データを、前記表示領域の配置状態と、前記表示パネル
に表示させる画像の画質に関する設定とに対応付けて複数記憶することを特徴とする。
この構成によれば、表示パネルの表示領域の配置状態と、表示画質に関する設定とに応
じた色むら補正データを用いて画像の色むら補正を行い、表示品質の向上を計ることがで
きる。
【００１２】
また上記目的を達成するために、本発明は、表示パネルに画像を表示する表示部を備え
た表示装置の制御方法であって、前記表示パネルに１つの表示領域を配置する１画面表示
と、前記表示パネルを複数の表示領域に分割する多画面表示とを切り替えて、表示領域毎
に画像を表示し、前記表示パネルにおける前記表示領域の配置状態に対応して、前記表示
領域毎に画像を補正することを特徴とする。
この構成によれば、画面表示を１画面表示と多画面表示とに切り替える場合であっても
、表示パネルの表示領域における配置状態に対応した画像の補正を行い、各表示態様にお
ける表示品質の向上を図ることができる。
【図面の簡単な説明】
【００１３】
【図１】実施形態のプロジェクター及び周辺装置の機能ブロック図である。
【図２】プロジェクターの表示モードを示す図である。
【図３】プロジェクターの別の表示モードを示す図である。
【図４】画像処理部及び表示部の構成を示す機能ブロック図である。
【図５】ＬＵＴ作成のメインフローを示すフローチャートである。
【図６】色特性測定処理の詳細を示すフローチャートである。
【図７】ガンマ補正ＬＵＴ作成処理の詳細を示すフローチャートである。
【図８】色むら補正ＬＵＴ作成処理の詳細を示すフローチャートである。
【図９】（Ａ）は左側表示領域の色補正特性を示す図であり、（Ｂ）は右側表示領域の色補正特性を示す図である。
【図１０】（Ａ）は１画面表示モードの補正特性を示す図であり、（Ｂ）及び（Ｃ）は１画面表示モードの補正特性を２分割した補正特性を示す図である。
【図１１】（Ａ）及び（Ｂ）は分割表示での補正特性を示す図である。
【図１２】プロジェクターの処理手順を示すフローチャートである。
【発明を実施するための形態】
【００１４】
以下、図面を参照しながら本発明の実施形態について説明する。
図１には、本発明を適用した実施形態のプロジェクター１と、プロジェクター１に接続
される各種周辺装置とを示す。なお、図１には、周辺装置として、画像供給装置２と、面
測定装置４０と、画像調整装置５０とを示す。
【００１５】
まず、プロジェクター１について説明する。プロジェクター１は、画像供給装置２から
供給される画像データＤ１に基づく投射画像Ｐを、投射面としてのスクリーンＳＣに投射
する。プロジェクター１は、Ｉ／Ｆ（インターフェース）部１１を備え、Ｉ／Ｆ部１１を
介して複数の画像供給装置２に接続される。複数の画像供給装置２は、静止画像又は動画
像の画像データＤ１を、プロジェクター１に供給する。画像供給装置２は、例えば、ＤＶ
Ｄプレーヤー等の画像再生装置、デジタルテレビチューナー等の放送受信装置、ビデオゲ
ーム機やパーソナルコンピューター等の映像出力装置から選択される。また、画像供給装
置２は、パーソナルコンピューター等と通信して画像データを受信する通信装置であって
もよい。また、画像供給装置２は、デジタル形式で画像データＤ１を出力する装置に限定
されず、アナログ画像信号を出力する装置であってもよい。この場合、画像供給装置２の
出力側又はプロジェクター１の入力側に、アナログ画像信号からデジタル形式の画像デー
タＤ１を生成するＡ／Ｄ変換器を設けることが好ましい。
また、画像供給装置２とプロジェクター１とを接続するインターフェースの具体的な仕
様やプロジェクター１に接続可能な画像供給装置２の台数は任意である。すなわち、図１
には、４台の画像供給装置２をプロジェクター１に接続した構成を示しているが、プロジ
ェクター１に接続可能な画像供給装置２の台数は４台に限られない。
【００１６】
プロジェクター１は、操作表示部１２と、表示制御部１３とを備えている。操作表示部
１２には、スイッチを備えた操作パネルや、プロジェクター１の動作モード等の情報を表
示する表示パネルを備える。また、操作表示部１２は、リモコン（図示略）の操作に応じ
た信号を受信する赤外線受光部を備える。
また、操作表示部１２は、操作用のボタンだけを備え、表示パネル等の表示部を有しな
い構成であってもよい。
【００１７】
表示制御部１３は、センサー（図示略）により画像供給装置２の接続が検知されたＩ／
Ｆ部１１のポートを、データの入出力が可能な状態に設定する。また、表示制御部１３は
、操作表示部１２により受け付けた操作入力に従って、Ｉ／Ｆ部１１のポートをデータの
入出力が可能な状態に設定してもよい。
【００１８】
また、表示制御部１３は、後述する画像処理部２０を制御して、スクリーンＳＣに表示
させる投射画像Ｐの表示モードを変更する。投射画像Ｐの表示モードには、１画面表示モ
ードと、多画面表示モードとがある。１画面表示モードは、図２に示すように、１つの画
像供給装置２から入力される画像データＤ１に基づく投射画像Ｐを、スクリーンＳＣの全
面Ｓに表示するモードである。
また、多画面表示モードは、図３に示すように、投射画像を、各表示領域Ｓ１，Ｓ２，Ｓ
３，Ｓ４に並べて表示するモードである。多画面表示モードでは、図３に示すように、ス
クリーンＳＣを複数の表示領域Ｓ１，Ｓ２，Ｓ３，Ｓ４に分割する。そして、複数の画像
供給装置２Ａ、２Ｂ，２Ｃ，２Ｄから供給される画像データＤ１に基づく投射画像を、各
表示領域Ｓ１，Ｓ２，Ｓ３，Ｓ４に並べて表示する。
なお、多画面表示モードには、例えば、１つの主画面と１つ以上の副画面とを並べて表
示して、主画面にテレビ映像、副画面にインターネットのＷｅｂ映像等を表示する場合が
ある。また、多画面表示モードでは、主画面及び副画面で異なるチャンネルのテレビ映像
を表示することもできる。また、多画面表示モードには、１つの主画面に１つ以上の副画
面を重ねて表示する、いわゆるピクチャインピクチャ（ＰＩＰ）も含まれる。
【００１９】
表示制御部１３は、操作表示部１２より表示モードの選択情報を入力する。また、表示
制御部１３は、操作表示部１２より分割パターンの設定をさらに入力する。ユーザーは、
操作表示部１２を操作して、プロジェクター１の表示モードを設定する。表示モードには
、上述のように１画面表示モードと多画面表示モードとがある。また、ユーザーは、表示
モードとして多画面表示モードを選択した場合には、操作表示部１２を操作して、分割パ
ターンの設定をさらに入力する。分割パターンとは、多画面表示モードにおいて、光変調
部３２の液晶パネル３２１の表示領域を分割するパターンである。液晶パネル３２１の表
示領域を所定パターンに分割することで、スクリーンＳＣに投射される投射画像Ｐも液晶
パネル３２１の分割パターンに応じた表示となる。分割パターンの例として、図３に示す
４画面分割や、２画面分割が挙げられる。
さらに、表示制御部１３は、表示モードとして多画面表示モードが設定された場合に、
液晶パネル３２１の各表示領域に表示させる画像の設定を入力する。例えば、表示制御部
１３は、操作表示部１２に、プロジェクター１に接続された各画像供給装置２の識別情報
を表示すると共に、液晶パネル３２１の表示領域を模式的に示す画像を表示する。液晶パ
ネル３２１の各表示領域を模式的に示す画像は、例えば、入力された分割パターンの設定
に対応して表示領域が区切られた画像である。
ユーザーは、操作表示部１２の表示を目視しながら、画像供給装置２から供給される画
像を表示させる表示領域の選択を操作表示部１２から入力する。表示制御部１３は、操作
表示部１２の入力に従って、画像供給装置２の識別情報と、液晶パネル３２１の表示領域
を識別する識別情報とを対応付けた表示領域設定情報を作成する。なお、表示領域設定情
報は、画像供給装置２の識別情報に代えて、画像供給装置２から供給される画像データＤ
１の識別情報を用いてもよい。また、液晶パネル３２１の表示領域を識別する識別情報と
して、各表示領域の存在範囲を示す液晶パネル３２１上の座標値を用いることができる。
表示制御部１３は、入力された表示モードの選択情報と、表示モードが多画面表示モー
ドの場合に入力される分割パターンの設定情報とを画像補正部２１、ガンマ補正ＬＵＴ選
択部２７及び色むら補正ＬＵＴ選択部２８に出力する。また、表示制御部１３は、作成し
た表示領域設定情報を画像補正部２１と画像合成部２４とに出力する。
【００２０】
また、表示制御部１３は、Ｉ／Ｆ部１１と画像処理部２０とを接続するデータ線に接続
し、Ｉ／Ｆ部１１から出力される画像データＤ１を入力する。表示制御部１３は、画像デ
ータＤ１を入力し、画像データＤ１の解像度、静止画像であるか動画像であるかの判別、
動画像の場合のフレームレート等の画像データＤ１の属性を判定する。表示制御部１３は
、画像データＤ１の解像度の情報を含む判定した属性を、後述する画像処理部２０の画像
補正部２１に出力する。画像補正部２１は、表示制御部１３から入力した属性に基づいて
画像の補正を行う。
また、表示制御部１３は、判定した画像データＤ１の属性に応じて、カラーモードを自
動で選択する。カラーモードとは、画像の表示画質に関する設定であり、投射画像の表示
画質を、画像の種別や視聴環境等に対応して調整するための設定である。カラーモードに
は、例えば、画像の明るさを優先した「明るさ優先モード」、色の再現性を優先した「色
優先モード」、明るい環境での視聴に適する「ダイナミックモード」等がある。また、カ
ラーモードには、薄明かりの中での視聴に適した「リビングモード」、暗い環境下で入力
信号に忠実な画像を再現可能な「ナチュラルモード」、暗い環境下での映画鑑賞に適する
「シアターモード」等がある。
表示制御部１３は、選択したカラーモードを、推奨カラーモードとしてプロジェクター
１の操作表示部１２に表示させる。表示制御部１３は、推奨カラーモードを操作表示部１
２に表示させて、カラーモードの選択入力を操作表示部１２により受け付ける。操作表示
部１２により、推奨カラーモードが選択された場合には、表示制御部１３は、選択された
推奨カラーモードの情報をカラーモードの選択情報としてガンマ補正ＬＵＴ選択部２７及
び色むら補正ＬＵＴ選択部２８に出力する。また、操作表示部１２の操作により、推奨カ
ラーモードとは別のカラーモードが選択された場合には、表示制御部１３は、選択された
カラーモードの選択情報をガンマ補正ＬＵＴ選択部２７及び色むら補正ＬＵＴ選択部２８
に出力する。
【００２１】
ここで、図４を参照しながら画像処理部２０及び表示部３０の構成について説明する。
画像処理部２０は、Ｉ／Ｆ部１１を介して入力した画像データＤ１に画像処理を行って
、投射画像Ｐを形成するためのデータ（１フレームのデータ）を生成する。画像処理部２
０は、生成したデータを画像信号Ｄ３として表示部３０に出力する。画像処理部２０は、
画像補正部２１、ガンマ補正実行部２２、色むら補正実行部２３、画像合成部２４、ガン
マ補正ＬＵＴ保存部２５、色むら補正ＬＵＴ保存部２６、ガンマ補正ＬＵＴ選択部２７、
色むら補正ＬＵＴ選択部２８を備える。
なお、図４には、画像処理部２０に、画像補正部２１、ガンマ補正実行部２２及び色む
ら補正実行部２３を、それぞれ１つずつ設けた構成を図示した。これ以外に、画像データ
Ｄ１を処理する複数の処理経路を設けて、各処理経路に、画像補正部２１、ガンマ補正実
行部２２及び色むら補正実行部２３を配置した構成であってもよい。
【００２２】
画像補正部２１には、Ｉ／Ｆ部１１を介して、画像供給装置２から供給される画像デー
タＤ１が入力される。また、画像補正部２１には、表示制御部１３から、表示モードの選
択情報と、画像データＤ１の解像度の情報と、表示モードが多画面表示モードの場合の分
割パターンの設定情報と、表示領域設定情報とが入力される。
【００２３】
画像補正部２１は、液晶パネル３２１の表示領域毎に画像を調整する。画像補正部２１
は、Ｉ／Ｆ部１１から入力される画像データＤ１が液晶パネル３２１のどの表示領域に表
示される画像であるのかを判定し、画像の調整としてスケーリング処理を行う。以下、画
像補正部２１の処理について具体的に説明する。
画像補正部２１は、まず、表示制御部１３から入力した表示モードの選択情報により、
プロジェクター１に設定された表示モードを判定する。表示モードが１画面表示モードで
ある場合、画像補正部２１は、表示制御部１３から入力した画像データＤ１の解像度の情
報に基づいて画像データＤ１を拡大又は縮小する。そして、画像補正部２１は、画像デー
タＤ１の解像度を、光変調部３２の備える液晶パネル３２１の解像度に合わせるスケーリ
ング処理を行う。画像補正部２１は、表示モードが１画面表示モードの場合、画像データ
Ｄ１の解像度を、液晶パネル３２１の解像度に合わせる処理を行う。
また、プロジェクター１に設定された表示モードが多画面表示モードである場合、画像
補正部２１は、分割パターンの設定情報に基づいて、各表示領域の解像度を取得する。例
えば、画像補正部２１の備える不図示のメモリーには、２画面分割、４画面分割といった
分割パターンごとに、液晶パネル３２１の各表示領域に設定された解像度の情報が保存さ
れている。画像補正部２１は、画像データＤ１を入力すると、表示領域設定情報を参照し
て、当該画像データＤ１に基づく画像を表示させる液晶パネル３２１の表示領域の情報を
取得する。次に、画像補正部２１は、取得した表示領域の情報に基づいてメモリーを参照
し、該当する表示領域の解像度の情報を取得する。画像補正部２１は、表示領域の解像度
の情報を取得すると、画像データＤ１の解像度を、取得した表示領域の解像度に合わせる
スケーリング処理を行う。
【００２４】
また、画像補正部２１は、表示制御部１３から入力される属性に基づいて、画像データ
Ｄ１に対して、ノイズ除去、フレーム補間処理、画像データＤ１のフレームレートを変換
する処理等を行う。また、画像補正部２１は、属性に基づいて、画像データＤ１に対して
、台形歪みや樽型歪みを補正する歪み補正処理、明るさ、コントラスト、シャープネス等
の画質を調整する処理等を行う。画像補正部２１は、補正した画像データＤ１をガンマ補
正実行部２２に出力する。
【００２５】
ガンマ補正実行部２２及び色むら補正実行部２３は、投射画像Ｐにおける色ずれ及び色
むらを補正して、色再現性及び色均一性を高める。すなわち、投射画像Ｐには、光変調部
３２が備える液晶パネル３２１の色特性等により、色ずれが発生する。また、投射画像Ｐ
において、中央部と周縁部との色の差が発生する。これらの色ずれ及び色むらを、ガンマ
補正実行部２２及び色むら補正実行部２３は、ＬＵＴを用いた処理により補正する。
【００２６】
ガンマ補正実行部２２には、画像補正部２１から画像データＤ１が入力される。ガンマ
補正実行部２２は、画像補正部２１により補正された画像データＤ１に対し、光変調部３
２が備える液晶パネル３２１の色ずれを補償するように、ガンマ補正を行う。
また、ガンマ補正実行部２２は、１又は複数のＬＵＴを記憶するＳＲＡＭ等の記憶素子
を備え、ガンマ補正ＬＵＴ保存部２５に接続される。ガンマ補正実行部２２は、ガンマ補
正ＬＵＴ保存部２５から入力されるガンマ補正ＬＵＴを記憶素子に記憶させ、記憶素子に
記憶させたガンマ補正ＬＵＴに基づいてガンマ補正を実行する。ガンマ補正実行部２２は
、補正後の画像データを色むら補正実行部２３に出力する。
【００２７】
色むら補正実行部２３には、ガンマ補正実行部２２から画像データＤ１が入力される。
色むら補正実行部２３は、ガンマ補正実行部２２から入力された画像データＤ１に対し、
１フレームの中央部と周辺部（周縁部）との間の色の差、すなわち色むらを補償するよう
に、色むらの補正を行う。
また、色むら補正実行部２３は、１又は複数のＬＵＴを記憶するＳＲＡＭ等の記憶素子
を備え、色むら補正ＬＵＴ保存部２６に接続される。色むら補正実行部２３は、色むら補
正ＬＵＴ保存部２６から入力される色むら補正ＬＵＴを記憶素子に記憶させ、記憶素子に
記憶させた色むら補正ＬＵＴに基づいて色むら補正を実行する。色むら補正実行部２３は
、補正後の画像データを画像合成部２４に出力する。
【００２８】
色むら補正実行部２３が実行する補正は、投射画像Ｐの中央部と周縁部との色の差を解
消又は低減するため、投射画像Ｐの周縁部の色を中央部の色に近づける処理である。従っ
て、色むら補正実行部２３は、ガンマ補正実行部２２がガンマ補正をした階調値の補正量
（ＬＵＴ値）を、画素の位置及び階調値に応じて加算する処理ということができる。この
ため、色むら補正実行部２３が使用する色むら補正ＬＵＴは、画素の座標と階調値に対応
した加算量を含むということができる。
【００２９】
画像合成部２４には、表示制御部１３から表示領域設定情報が入力される。また、画像
合成部２４には、色むら補正実行部２３により色むら補正された画像データＤ１が入力さ
れる。画像合成部２４は、フレームメモリー（不図示）を備え、色むら補正実行部２３か
ら入力される、色むら補正された画像データＤ１をフレームメモリーに展開する。
また、画像合成部２４は、多画面表示モードが設定されている場合には、色むら補正実
行部２３から入力される各画像データＤ１を、表示領域設定情報に従って、フレームメモ
リーの対応する領域に展開する。画像合成部２４は、フレームメモリーに、１フレーム分
の画像データが展開されると、展開された１フレーム毎の画像を画像信号Ｄ３として変調
制御部３５に出力する。
【００３０】
ガンマ補正ＬＵＴ保存部２５は、後述するガンマ補正ＬＵＴ作成部５３により作成され
る複数のガンマ補正ＬＵＴを記憶する。ガンマ補正ＬＵＴは、光変調部３２が備える液晶
パネル３２１の表示特性に基づいて、投射画像Ｐの色が、本来の画像データＤ１の表示色
となるように補正するためのデータを含む。ガンマ補正実行部２２は、ガンマ補正ＬＵＴ
を用いて、画像補正部２１から入力された画像データの多階調化や再割り当ての処理を行
う。
【００３１】
ガンマ補正ＬＵＴ保存部２５には、１画面表示の際のガンマ補正に使用されるガンマ補
正ＬＵＴ（以下、１画面ガンマ補正ＬＵＴという）が記憶されている。ガンマ補正ＬＵＴ
保存部２５には、カラーモードに応じた複数の１画面ガンマ補正ＬＵＴが記憶される。
また、ガンマ補正ＬＵＴ保存部２５には、多画面表示の際のガンマ補正に使用されるガ
ンマ補正ＬＵＴ（以下、多画面ガンマ補正ＬＵＴという）が記憶されている。１画面ガン
マ補正ＬＵＴ及び多画面ガンマ補正ＬＵＴは、ガンマ補正ＬＵＴ作成部５３により作成さ
れる。
多画面ガンマ補正ＬＵＴは、分割パターン、分割された各表示領域の液晶パネル３２１
上の位置等の配置情報、及び各表示領域に表示させる画像に設定されたカラーモードに応
じて複数用意されている。例えば、液晶パネルの分割数が４分割であり、カラーモードが
、シアターモードとリビングモードとの２種類であるとする。この場合、多画面ガンマ補
正ＬＵＴとして、８つのＬＵＴが用意される。８つのＬＵＴは、（シアターモード、右上
表示領域）、（リビングモード、右上表示領域）、（シアターモード、右下表示領域）、
（リビングモード、右下表示領域）、（シアターモード、左上表示領域）、（リビングモ
ード、左上表示領域）、（シアターモード、左下表示領域）、（リビングモード、左下表
示領域）である。（シアターモード、右上表示領域）は、液晶パネル３２１を図３に示す
ように４分割した場合の右上の表示領域Ｓ２に、シアターモードで画像を表示させる場合
に、画像のガンマ補正に使用するＬＵＴである。（リビングモード、右上表示領域）は、
液晶パネル３２１を図３に示すように４分割した場合の右上の表示領域Ｓ２に、リビング
モードで画像を表示させる場合に、画像のガンマ補正に使用するＬＵＴである。（シアタ
ーモード、右下表示領域）は、液晶パネル３２１を図３に示すように４分割した場合の右
下の表示領域Ｓ４に、シアターモードで画像を表示させる場合に、画像のガンマ補正に使
用するＬＵＴである。（リビングモード、右下表示領域）は、液晶パネル３２１を図３に
示すように４分割した場合の右下の表領域Ｓ４に、リビングモードで画像を表示させる場
合に、画像のガンマ補正に使用するＬＵＴである。（シアターモード、左上表示領域）は
、液晶パネル３２１を図３に示すように４分割した場合の左上の表示領域Ｓ１に、シアタ
ーモードで画像を表示させる場合に、画像のガンマ補正に使用するＬＵＴである。（リビ
ングモード、左上表示領域）は、液晶パネル３２１を図３に示すように４分割した場合の
左上の表示領域Ｓ１に、リビングモードで画像を表示させる場合に、画像のガンマ補正に
使用するＬＵＴである。（シアターモード、左下表示領域）は、液晶パネル３２１を図３
に示すように４分割した場合の左下の表示領域Ｓ３に、シアターモードで画像を表示させ
る場合に、画像のガンマ補正に使用するＬＵＴである。（リビングモード、左下表示領域
）は、液晶パネル３２１を図３に示すように４分割した場合の左下の表示領域Ｓ３に、リ
ビングモードで画像を表示させる場合に、画像のガンマ補正に使用するＬＵＴである。
また、分割パターンが２画面分割であり、カラーモードが、シアターモードとリビング
モードとの２種類であるとする。この場合、多画面ガンマ補正ＬＵＴとしてとして、４つ
のＬＵＴが用意される。４つのＬＵＴは、（シアターモード、左表示領域）、（リビング
モード、左表示領域）、（シアターモード、右表示領域）、（リビングモード、右表示領
域）である。
（シアターモード、左表示領域）は、液晶パネル３２１を左右に２分割した場合の左側
の表示領域(第１の表示領域)に、シアターモードで画像を表示させる場合に、画像のガン
マ補正に使用するＬＵＴである。（リビングモード、左表示領域）は、液晶パネル３２１
を左右に２分割した場合の左側の表示領域に、リビングモードで画像を表示させる場合に
、画像のガンマ補正に使用するＬＵＴである。（シアターモード、右表示領域）は、液晶
パネル３２１を左右に２分割した場合の右側の表示領域（第２の表示領域）に、シアター
モードで画像を表示させる場合に、画像のガンマ補正に使用するＬＵＴである。（リビン
グモード、右表示領域）は、液晶パネル３２１を左右に２分割した場合の右側の表示領域
に、リビングモードで画像を表示させる場合に、画像のガンマ補正に使用するＬＵＴであ
る。
【００３２】
色むら補正ＬＵＴ保存部２６は、後述する色むら補正ＬＵＴ作成部５４により作成され
る複数の色むら補正ＬＵＴを記憶する。色むら補正ＬＵＴは、光変調部３２が備える液晶
パネル３２１の表示特性に基づいて、フレーム内の画素の位置毎に階調を補正するデータ
を含む。色むら補正実行部２３は、色むら補正ＬＵＴを用いて、ガンマ補正実行部２２か
ら入力された画像データの色むら、すなわち、画像データの１フレームにおける中央部と
周辺部（周縁部）との間の色差を補償する。
【００３３】
色むら補正ＬＵＴ保存部２６には、１画面表示の際の色むら補正に使用される色むら補
正ＬＵＴ（以下、１画面色むら補正ＬＵＴという）が記憶されている。また、色むら補正
ＬＵＴ保存部２６には、多画面表示の際の色むら補正に使用される色むら補正ＬＵＴ（以
下、多画面色むら補正ＬＵＴという）が記憶されている。１画面色むら補正ＬＵＴ及び多
画面色むら補正ＬＵＴは、色むら補正ＬＵＴ作成部５４により作成される。
多画面ガンマ補正ＬＵＴは、分割パターン、分割パターンに従って分割された液晶パネ
ル３２１上の表示領域の位置等の配置情報、及び各表示領域に表示される画像に設定され
たカラーモードに応じて複数用意されている。例えば、分割パターンが４画面分割であり
、カラーモードが、シアターモードとリビングモードとの２種類であるとする。この場合
、多画面色むら補正ＬＵＴとして、８つのＬＵＴが用意される。８つのＬＵＴは、（シア
ターモード、右上表示領域）、（リビングモード、右上表示領域）、（シアターモード、
右下表示領域）、（リビングモード、右下表示領域）、（シアターモード、左上表示領域
）、（リビングモード、左上表示領域）、（シアターモード、左下表示領域）、（リビン
グモード、左下表示領域）である。
（シアターモード、右上表示領域）は、液晶パネル３２１を図３に示すように４分割し
た場合の右上の表示領域Ｓ２に、シアターモードで画像を表示させる場合に、画像の色む
ら補正に使用するＬＵＴである。（リビングモード、右上表示領域）は、液晶パネル３２
１を図３に示すように４分割した場合の右上の表示領域Ｓ２に、リビングモードで画像を
表示させる場合に、画像の色むら補正に使用するＬＵＴである。（シアターモード、右下
表示領域）は、液晶パネル３２１を図３に示すように４分割した場合の右下の表示領域Ｓ
４に、シアターモードで画像を表示させる場合に、画像の色むら補正に使用するＬＵＴで
ある。（リビングモード、右下表示領域）は、液晶パネル３２１を図３に示すように４分
割した場合の右下の表示領域Ｓ４に、リビングモードで画像を表示させる場合に、画像の
色むら補正に使用するＬＵＴである。（シアターモード、左上表示領域）は、液晶パネル
３２１を図３に示すように４分割した場合の左上の表示領域Ｓ１に、シアターモードで画
像を表示させる場合に、画像の色むら補正に使用するＬＵＴである。（リビングモード、
左上表示領域）は、液晶パネル３２１を図３に示すように４分割した場合の左上の表示領
域Ｓ１に、リビングモードで画像を表示させる場合に、画像の色むら補正に使用するＬＵ
Ｔである。（シアターモード、左下表示領域）は、液晶パネル３２１を図３に示すように
４分割した場合の左下の表示領域Ｓ３に、シアターモードで画像を表示させる場合に、画
像の色むら補正に使用するＬＵＴである。（リビングモード、左下表示領域）は、液晶パ
ネル３２１を図３に示すように４分割した場合の左下の表示領域Ｓ３に、リビングモード
で画像を表示させる場合に、画像の色むら補正に使用するＬＵＴである。
また、分割パターンが２画面分割であり、カラーモードが、シアターモードとリビング
モードとの２種類であるとする。この場合、多画面色むら補正ＬＵＴとして、４つのＬＵ
Ｔが用意される。４つのＬＵＴは、（シアターモード、左表示領域）、（リビングモード
、左表示領域）、（シアターモード、右表示領域）、（リビングモード、右表示領域）で
ある。
（シアターモード、左表示領域）は、液晶パネル３２１を左右に２分割した場合の左側
の表示領域(第１の表示領域)に、シアターモードで画像を表示させる場合に、画像の色む
ら補正に使用するＬＵＴである。（リビングモード、左表示領域）は、液晶パネル３２１
を左右に２分割した場合の左側の表示領域に、リビングモードで画像を表示させる場合に
、画像の色むら補正に使用するＬＵＴである。（シアターモード、右表示領域）は、液晶
パネル３２１を左右に２分割した場合の右側の表示領域（第２の表示領域）に、シアター
モードで画像を表示させる場合に、画像の色むら補正に使用するＬＵＴである。（リビン
グモード、右表示領域）は、液晶パネル３２１を左右に２分割した場合の右側の表示領域
に、リビングモードで画像を表示させる場合に、画像の色むら補正に使用するＬＵＴであ
る。
【００３４】
ガンマ補正ＬＵＴ選択部２７は、表示制御部１３及びガンマ補正ＬＵＴ保存部２５に接
続される。
ガンマ補正ＬＵＴ選択部２７には、表示制御部１３から、表示モードの情報、分割パタ
ーンの設定情報及びカラーモードの情報が入力される。ガンマ補正ＬＵＴ選択部２７は、
表示制御部１３から入力される表示モードの選択情報、分割パターンの設定情報及びカラ
ーモードの選択情報に従って、ガンマ補正ＬＵＴを選択する選択信号をガンマ補正ＬＵＴ
保存部２５に出力する。
例えば、ガンマ補正ＬＵＴ選択部２７に入力された表示モードが多画面表示モードであ
り、分割パターンが４画面分割であるとする。また、入力されたカラーモードが、右上表
示領域及び左下表示領域がシアターモードであり、右下表示領域及び左上表示領域がリビ
ングモードであるとする。この場合、ガンマ補正ＬＵＴ選択部２７は、（シアターモード
、右上表示領域）、（リビングモード、右下表示領域）、（リビングモード、左上表示領
域）、（シアターモード、左下表示領域）の各ガンマ補正ＬＵＴを選択する選択信号をガ
ンマ補正ＬＵＴ保存部２５に出力する。
【００３５】
ガンマ補正ＬＵＴ保存部２５は、ガンマ補正ＬＵＴ選択部２７から入力された選択信号
に従って、対応するガンマ補正ＬＵＴをガンマ補正実行部２２に出力する。ガンマ補正実
行部２２は、ガンマ補正ＬＵＴ保存部２５から入力されるガンマ補正ＬＵＴを記憶素子に
記憶させ、記憶素子に記憶させたガンマ補正ＬＵＴに基づいてガンマ補正を実行する。す
なわち、ガンマ補正実行部２２は、ガンマ補正ＬＵＴ選択部２７が、液晶パネル３２１に
おける表示領域の配置状態に応じて選択したガンマ補正ＬＵＴを用いて、対応する表示領
域に表示する画像を補正する。ガンマ補正ＬＵＴ選択部２７は、液晶パネル３２１におけ
る表示領域の配置状態を、表示モードの選択情報と、分割パターンの設定情報とに基づい
て判定する。
【００３６】
色むら補正ＬＵＴ選択部２８は、表示制御部１３及び色むら補正ＬＵＴ保存部２６に接
続される。
色むら補正ＬＵＴ選択部２８には、表示制御部１３から、表示モードの情報、分割パタ
ーンの設定情報及びカラーモードの情報が入力される。色むら補正ＬＵＴ選択部２８は、
表示制御部１３から入力される表示モードの選択情報、分割パターンの設定情報及びカラ
ーモードの選択情報に従って、色むら補正ＬＵＴを選択する選択信号を色むら補正ＬＵＴ
保存部２６に出力する。
例えば、色むら補正ＬＵＴ選択部２８に入力された表示モードが多画面表示モードであ
り、分割パターンが４画面分割であるとする。また、入力されたカラーモードが、右上表
示領域及び左下表示領域がシアターモードであり、右下表示領域及び左上表示領域がリビ
ングモードであるとする。色むら補正ＬＵＴ選択部２８は、（シアターモード、右上表示
領域）、（リビングモード、右下表示領域）、（リビングモード、左上表示領域）、（シ
アターモード、左下表示領域）の各色むら補正ＬＵＴを選択する選択信号を色むら補正Ｌ
ＵＴ保存部２６に出力する。
【００３７】
色むら補正ＬＵＴ保存部２６は、色むら補正ＬＵＴ選択部２８から入力された選択信号
に従って、対応する色むら補正ＬＵＴを色むら補正実行部２３に出力する。色むら補正実
行部２３は、色むら補正ＬＵＴ保存部２６から入力される色むら補正ＬＵＴを記憶素子に
記憶させ、記憶素子に記憶させた色むら補正ＬＵＴに基づいて色むら補正を実行する。す
なわち、色むら補正実行部２３は、色むら補正ＬＵＴ選択部２８が、液晶パネル３２１に
おける表示領域の配置状態に応じて選択した色むら補正ＬＵＴを用いて、対応する表示領
域に表示する画像を補正する。色むら補正ＬＵＴ選択部２８は、液晶パネル３２１におけ
る表示領域の配置状態を、表示モードの選択情報と、分割パターンの設定情報とに基づい
て判定する。
【００３８】
表示部３０は、画像処理部２０から出力される画像信号Ｄ３に基づいて投射画像Ｐをス
クリーンＳＣに投射する。表示部３０は、光源３１、光変調部３２、投射光学系３３、光
源制御部３４及び変調制御部３５を備える。
【００３９】
光源３１は、キセノンランプ、超高圧水銀ランプ等のランプ類、又はＬＥＤやレーザー
光源等の固体光源により構成される。光源３１は、光源制御部３４から供給される電力に
より点灯し、光変調部３２に向けて光Ｌ１を発する。
【００４０】
光変調部３２は、赤色（Ｒ）、緑色（Ｇ）及び青色（Ｂ）の各色に対応する３つの液晶
パネル３２１を備える。光変調部３２は、光源３１が発した光Ｌ１を液晶パネル３２１に
透過させて、透過光を投射光学系３３に導く。光変調部３２の液晶パネル３２１には変調
制御部３５が接続される。変調制御部３５は、液晶パネル３２１の各画素を駆動して、液
晶パネル３２１にフレーム（画面）単位で画像を描画する。光Ｌ１は液晶パネル３２１に
描画された画像により変調されて画像光Ｌ２となり、投射光学系３３を介してスクリーン
ＳＣに投射され、スクリーンＳＣ上に投射画像Ｐを形成する。
【００４１】
光源３１と光変調部３２との間の光路又は光変調部３２には、光源３１が発した光を光
変調部３２に導くリフレクターを設けてもよい。また、光源３１が発する光の光学特性を
高めるためのレンズ群（図示略）、偏光板、或いは光源３１が発した光の光量を低減させ
る調光素子を設けてもよい。
また、光変調部３２は、反射型の液晶パネル３２１を用いた構成とすることができる。
この場合、光変調部３２は、光Ｌ１を液晶パネル３２１に反射させ、反射光を投射光学系
３３に導く。
【００４２】
次に、周辺装置としての面測定装置４０及び画像調整装置５０について説明する。
画像調整装置５０は、例えば、プロジェクター１の出荷前のＬＵＴの作成工程において
、プロジェクター１に接続される。また、画像調整装置５０は、スクリーンＳＣ上の投射
画像Ｐの色を検出する面測定装置４０に接続される。
【００４３】
面測定装置４０は、ＣＣＤやＣＭＯＳ等からなるイメージセンサーを備え、プロジェク
ター１が投射する投射画像Ｐを撮影して、撮影画像データからＸ，Ｙ，Ｚ三刺激値の面内
二次元分布画像データを生成する。面測定装置４０は、生成した面内二次元分布画像デー
タから投射画像Ｐの画面内の位置ごとの色特性（ＶＴ特性）を示すデータＤ５を生成して
、生成したデータＤ５を画像調整装置５０に出力する。
画像調整装置５０は、面測定装置４０から入力されたデータＤ５に基づいて、１画面ガ
ンマ補正ＬＵＴ、多画面ガンマ補正ＬＵＴ、１画面色むら補正ＬＵＴ及び多画面色むら補
正ＬＵＴを生成する。以下、１画面ガンマ補正ＬＵＴと多画面ガンマ補正ＬＵＴとを総称
して呼ぶ場合には、ガンマ補正ＬＵＴと呼び、１画面色むら補正ＬＵＴと多画面色むら補
正ＬＵＴとを総称して呼ぶ場合には、色むら補正ＬＵＴと呼ぶ。
画像調整装置５０は、生成したガンマ補正ＬＵＴをガンマ補正ＬＵＴ保存部２５に出力
して、ガンマ補正ＬＵＴ保存部２５に記憶させる。また、画像調整装置５０は、生成した
色むら補正ＬＵＴを色むら補正ＬＵＴ保存部２６に出力して、色むら補正ＬＵＴ保存部２
６に記憶させる。
【００４４】
プロジェクター１の出荷前のＬＵＴ作成工程において、プロジェクター１には、画像供
給装置２としてのコンピューターが接続される。コンピューターは、面測定用のパターン
画像データを画像データＤ１としてプロジェクター１に出力する。このパターン画像デー
タは、ＲＧＢ各単色の全面均一画像（ラスター画像）であり、測定する階調数分、表示さ
れる。
画像供給装置２としてのコンピューターは、パターン画像をソフトウェアにより生成し
、又は予め用意されたパターン画像を読み出して出力する。また、面測定装置４０を、画
像供給装置２としてのコンピューターが制御して、パターン画像の表示と、面測定装置４
０による撮影とを同期させてもよい。また、パターン画像をプロジェクター１が投射する
場合の光源３１の輝度を、画像供給装置２としてのコンピューターが制御してもよい。
【００４５】
ガンマ補正目標演算部５１は、目標色空間（例えば、ｓＲＧＢ）と、データＤ５に含ま
れる色特性とに基づいて、ガンマ補正ＬＵＴを作成する際のターゲットＸＹＺ値を求める
。
【００４６】
色むら補正目標演算部５２は、面測定装置４０から入力されるデータＤ５に含まれる色
特性のデータに基づき、色むら補正のターゲットＸＹＺ値を求める。
【００４７】
ガンマ補正ＬＵＴ作成部５３は、ガンマ補正目標演算部５１が求めたターゲットＸＹＺ
値に基づいて１画面ガンマ補正ＬＵＴ及び多画面ガンマ補正ＬＵＴを作成する。ガンマ補
正ＬＵＴ作成部５３が行う具体的な処理は、例えば、上述した特許文献２に記載された公
知の方法を用いることができる。
【００４８】
色むら補正ＬＵＴ作成部５４は、色むら補正目標演算部５２が求めたターゲットＸＹＺ
値に基づいて、１画面色むら補正ＬＵＴ及び多画面色むら補正ＬＵＴを作成する。色むら
補正ＬＵＴ作成部５４が行う具体的な処理は、例えば、上述した特許文献２に記載された
公知の方法を用いることができる。
【００４９】
画像調整装置５０は、ガンマ補正ＬＵＴ作成部５３が作成したガンマ補正ＬＵＴをガン
マ補正ＬＵＴ保存部２５に出力して、ガンマ補正ＬＵＴ保存部２５に記憶させる。また、
画像調整装置５０は、色むら補正ＬＵＴ作成部５４が作成した色むら補正ＬＵＴを色むら
補正ＬＵＴ保存部２６に出力して、色むら補正ＬＵＴ保存部２６に記憶させる。プロジェ
クター１の出荷前に、個々のプロジェクター１に対して画像調整装置５０がＬＵＴを作成
することで、プロジェクター１の個体差に対応したＬＵＴを作成し、全てのプロジェクタ
ー１の色再現性及び色均一性の向上を図ることができる。
【００５０】
図１には面測定装置４０及び画像調整装置５０がプロジェクター１の外部装置として接
続された構成を例示したが、プロジェクター１が、面測定装置４０及び画像調整装置５０
を備えた構成とすることもできる。この場合、面測定装置４０は、スクリーンＳＣ上の投
射画像Ｐを撮影できればよく、プロジェクター１が台形歪み補正用に撮像部（図示略）を
備えていれば、この撮像部を用いることができる。また、画像処理部２０を構成するＣＰ
Ｕ等のプロセッサーが、ソフトウェアを実行することにより、画像調整装置５０の各部の
機能を実現できる。さらに、画像供給装置２がプロジェクター１に出力するパターン画像
を画像処理部２０が記憶していてもよい。この場合、プロジェクター１が単独で、ガンマ
補正ＬＵＴ及び色むら補正ＬＵＴを作成することができ、また、プロジェクター１の出荷
後であっても、プロジェクター１が単独でＬＵＴを作成できる。従って、プロジェクター
１が備える光源の発光特性や光変調部３２の色特性の経時的変化に対応して、最適なガン
マ補正ＬＵＴ、色むら補正ＬＵＴを用いて画像データを補正できる。また、光源を交換し
た場合にも、光源の発光特性の変化に対応したＬＵＴを作成できるという利点がある。
【００５１】
図５〜図８は、画像調整装置５０によりガンマ補正ＬＵＴ及び色むら補正ＬＵＴを作成
する処理フローを示すフローチャートである。これらの図を参照してＬＵＴの作成処理に
ついて説明する。
まず、図５に示すように、面測定装置４０により色特性測定処理が実行される（ステッ
プＳ１）。色特性測定処理の詳細について、図６に示すフローチャートを参照しながら説
明する。
色特性測定処理では、プロジェクター１により、各階調のラスター画像を投射画像Ｐと
してスクリーンＳＣに表示する（ステップＳ１１）。面測定装置４０は、投射画像Ｐとし
て投射されたラスター画像を撮影して、撮影画像データからＸ，Ｙ，Ｚ三刺激値の面内二
次元分布画像データを生成する。面測定装置４０は、生成した面内二次元分布画像データ
から、スクリーンＳＣに投射されたラスター画像の階調の色特性（ＶＴ特性）を示すデー
タＤ５を生成して、画像調整装置５０に出力する（ステップＳ１２）。面測定装置４０は
、予め設定されたすべての階調値についてステップＳ１１及びＳ１２の処理を繰り返し実
行し（ステップＳ１３）、全階調値について処理が済むと、図５のステップＳ２に戻る。
【００５２】
次に、分割パターンを選択する（ステップＳ２）。後述するステップＳ５、Ｓ６のガン
マ補正ＬＵＴ作成処理、色むら補正ＬＵＴ作成処理において、１画面用のＬＵＴを作成す
るのか、多画面用のＬＵＴを作成するのかが選択される。また、多画面用のＬＵＴの作成
が選択される場合には、液晶パネル３２１の表示領域を分割する画面の分割数も選択され
る。例えば、２画面分割、４画面分割といった分割数が選択される。なお、ステップＳ２
の分割パターンの選択は、ユーザーが操作部５５を操作して選択するものであってもよい
し、事前に設定された情報に基づいてガンマ補正ＬＵＴ作成部５３、色むら補正ＬＵＴ作
成部５４が自動的に選択してもよい。
【００５３】
次に、対象の表示領域が選択される（ステップＳ３）。後述するステップＳ５、Ｓ６の
ガンマ補正ＬＵＴ作成処理、色むら補正ＬＵＴ作成処理において作成されるＬＵＴにより
補正する液晶パネル３２１の表示領域が選択される。この表示領域の選択も、ユーザーが
操作部５５を操作して選択するものであってもよいし、事前に設定された情報に基づいて
ガンマ補正ＬＵＴ作成部５３、色むら補正ＬＵＴ作成部５４が自動的に選択してもよい。
【００５４】
次に、カラーモードが選択される（ステップＳ４）。後述するステップＳ５のガンマ補
正ＬＵＴ作成処理、Ｓ６の色むら補正ＬＵＴ作成処理において作成するＬＵＴを、どのカ
ラーモードに対応したＬＵＴとするのかが選択される。このカラーモードの選択も、ユー
ザーが操作部５５を操作して選択するものであってもよいし、事前に設定された情報に基
づいてガンマ補正ＬＵＴ作成部５３、色むら補正ＬＵＴ作成部５４が自動的に選択しても
よい。
【００５５】
次に、ガンマ補正目標演算部５１及びガンマ補正ＬＵＴ作成部５３によりガンマ補正Ｌ
ＵＴを作成する（ステップＳ５）。ガンマ補正ＬＵＴの作成手順の詳細について、図７に
示すフローチャートを参照しながら説明する。
まず、ガンマ補正目標演算部５１により各階調のガンマ補正の目標値（ターゲットＸＹ
Ｚ値）が演算される（ステップＳ２１）。ガンマ補正目標演算部５１は、目標色空間（例
えば、ｓＲＧＢ）と、データＤ５に含まれる色特性とに基づいて、ガンマ補正ＬＵＴを作
成する際のターゲットＸＹＺ値を求める。
【００５６】
続いて、ガンマ補正ＬＵＴ作成部５３により、ガンマ補正目標演算部５１が算出したタ
ーゲットＸＹＺ値に基づきマトリクス演算が繰り返し実行され、黒（最小階調）〜白（最
大階調）間の各階調値を実現する入力ＲＧＢ値が求められる（ステップＳ２２）。ガンマ
補正ＬＵＴ作成部５３は、この演算を全階調について実行したか否かを判定し（ステップ
Ｓ２３）、全階調について入力ＲＧＢ値が求められていないと判定すると（ステップＳ２
３／ＮＯ）、ステップＳ２１の処理に戻る。また、ガンマ補正ＬＵＴ作成部５３は、全階
調について入力ＲＧＢ値を求めたと判定すると(ステップＳ２３／ＹＥＳ)、ガンマ補正Ｌ
ＵＴの作成処理を終了させる。
【００５７】
次に、色むら補正ＬＵＴを作成する（ステップＳ６）。色むら補正ＬＵＴの作成処理の
詳細について、図８に示すフローチャートを参照しながら説明する。
まず、色むら補正目標演算部５２により各位置、各階調の目標値（ターゲットＸＹＺ値
）が演算される（ステップＳ３１）。色むら補正目標演算部５２は、目標色空間（例えば
、ｓＲＧＢ）と、データＤ５に含まれる色特性とに基づいて、色むら補正ＬＵＴを作成す
る際のターゲットＸＹＺ値を、データＤ５の画素ごと、階調ごとに求める。
【００５８】
色むら補正ＬＵＴ作成部５４は、色むら補正目標演算部５２により求めたターゲットＸ
ＹＺ値に基づきマトリクス演算を実行し、ターゲットＸＹＺ値を実現する入力ＲＧＢ値を
、画素ごと、階調ごとに探索する（ステップＳ３２）。色むら補正ＬＵＴ作成部５４は、
探索した結果と、ガンマ補正ＬＵＴ作成処理でガンマ補正ＬＵＴ作成部５３が作成したガ
ンマ補正ＬＵＴとの差分を求めて、差分を色むら補正ＬＵＴとして保存する（ステップＳ
３３）。色むら補正ＬＵＴ作成部５４は、データＤ５の全ての画素、全ての階調について
ステップＳ３１〜Ｓ３３の処理を実行したか否かを判定する（ステップＳ３４）。データ
Ｄ５の全ての画素、全ての階調についてステップＳ３１〜Ｓ３３の処理を実行していない
と判定する場合（ステップＳ３４／ＮＯ）、色むら補正ＬＵＴ作成部５４は、ステップＳ
３１〜Ｓ３３の処理を繰り返す。また、データＤ５の全ての画素、全ての階調についてス
テップＳ３１〜Ｓ３３の処理を実行したと判定する場合（ステップＳ３４／ＹＥＳ）、色
むら補正ＬＵＴ作成部５４は、色むら補正ＬＵＴの作成処理を終了させる。
【００５９】
図９（Ａ）に、表示モードとして２画面表示モード、カラーモードとして色優先モード
が選択された場合に、ガンマ補正ＬＵＴを用いた補正による、色補正特性の一例を実線で
示す。図９（Ａ）に示す色補正特性は、２画面分割表示の左側の表示領域（第１の表示領
域）の色補正特性である。なお、図９（Ａ）に破線で示す特性は、ガンマ補正ＬＵＴによ
る補正前の色特性を示す。また、図９（Ｂ）に、表示モードとして２画面表示、カラーモ
ードとして明るさ優先モードが選択された場合に、ガンマ補正ＬＵＴを用いた補正による
、色補正特性の一例を実線で示す。図９（Ｂ）に示す色補正特性は、２画面分割表示の右
側の表示領域（第２の表示領域）の色補正特性である。図９（Ｂ）に破線で示す特性は、
ガンマ補正ＬＵＴによる補正前の色特性を示す。
【００６０】
図１０（Ａ）に、プロジェクター１の備える液晶パネル３２１のむら特性（無補正時）
の一例を破線で示す。図１０（Ａ）の横軸は、液晶パネル３２１の横方向（水平方向）に
おける画素位置を示し、縦軸は輝度を示す。図１０（Ａ）に破線で示すように、液晶パネ
ル３２１のむら特性は、液晶パネル３２１の左側で輝度が高く右側で輝度が低い傾向を示
す。このため、液晶パネル３２１の全体に画像を表示する場合、スクリーンＳＣに投射さ
れる投射画像は、投射画像の左端の輝度が、投射画像の右端の輝度よりも高く、投射画像
の中央よりも左側にずれた位置で輝度が最大となる。
【００６１】
一般に、表示装置が表示する画像は、中央部の輝度が高く、周辺に向かって輝度が徐々
に低下する状態になっていると、表示画像を見る人が、自然な印象を抱くことが知られて
いる。この観点から、図１０(Ａ)に破線で示すむら特性を有する液晶パネル３２１に表示
する画像を、図１０（Ａ）に実線で示す補正特性に合わせて補正すれば、表示品質を向上
させることができる。図１０（Ａ）の例では、輝度を補正する場合に、液晶パネル３２１
の横方向において右端の輝度が低いので、この右端の輝度を基準として補正が行われる。
これは、輝度を補正する際に、むら特性が示す輝度よりも高い輝度に補正できないためで
ある。例えば、液晶パネル３２１の左端の輝度を基準として、図１０（Ａ）に一点鎖線で
示すように輝度を補正する場合、液晶パネル３２１の右端の輝度をむら特性の輝度より高
くする必要があり、実現できない。
【００６２】
図１０（Ａ）に実線で示す１画面表示モードの補正特性を、２画面表示モードにおける
補正特性にそのまま用いた場合の補正特性を図１０（Ｂ）、（Ｃ）に示す。図１０（Ｂ）
は、１画面表示モードの補正特性を２分割した、液晶パネル３２１の左側表示領域の補正
特性を示す。図１０（Ｃ）は、１画面表示モードの補正特性を２分割した、液晶パネル３
２１の右側表示領域の補正特性を示す。図１０（Ｂ）に示す補正特性に従って画像データ
Ｄ１の補正を行うと、スクリーンＳＣの左側に表示される投射画像では、左端の輝度が最
も低くなり、右端の輝度が最も高くなる。また、図１０（Ｃ）に示す補正特性に従って画
像データＤ１の補正を行うと、スクリーンＳＣの右側に表示される投射画像では、左端の
輝度が最も高くなり、右端の輝度が最も低くなる。
【００６３】
図１１（Ａ）及び（Ｂ）に、２画面表示モードにおいて、分割された液晶パネル３２１
の表示領域ごとに補正ＬＵＴを作成して、液晶パネル３２１の色むら特性を補正する場合
の補正特性を実線で示す。図１１（Ａ）には、２画面表示モードにおいて、液晶パネル３
２１の左側の表示領域（第１の表示領域）の補正特性を実線で示し、図１１（Ｂ）に、液
晶パネル３２１の右側の表示領域（第２の表示領域）の補正特性を実線で示す。なお、図
１１（Ａ）及び（Ｂ）には、液晶パネル３２１の無補正時の色むら特性を一点鎖線で示す
。また、図１１（Ａ）には、図１０（Ｂ）に示す、１画面表示モードの補正特性を２分割
した補正特性を破線で示す。また、図１１（Ｂ）には、図１０(Ｃ)に示す、１画面表示モ
ードの補正特性を２分割した補正特性を破線で示す。
【００６４】
図１１（Ａ）に実線で示す補正特性と、破線で示す補正特性とを比較すると明らかなよ
うに、実線で示す液晶パネル３２１の左側表示領域の補正特性は、破線で示す１画面表示
モードの補正特性を２分割した補正特性よりも輝度が高い。図１１(Ａ）に実線で示す液
晶パネル３２１の左側表示領域の補正特性は、一点鎖線で示す液晶パネル３２１の無補正
時の色むら特性において、輝度が最低となる左端の輝度を基準（最低輝度）として輝度の
補正がされている。このため、液晶パネル３２１の左側表示領域の補正特性は、１画面表
示モードの補正特性を２分割した補正特性よりも輝度を高くすることができる。従って、
スクリーンＳＣに投射される画像の輝度低下を抑制することができる。
また、図１１（Ｂ）に実線で示す、液晶パネル３２１の右側表示領域の補正特性も、破
線で示す１画面表示モードの補正特性を２分割した補正特性よりも輝度を若干高くするこ
とができる。このため、液晶パネル３２１の右側表示領域においても、スクリーンＳＣに
投射される画像の輝度低下を抑制することができる。
【００６５】
次に、図１２に示すフローチャートを参照しながらプロジェクター１の処理手順を説明
する。まず、表示制御部１３は、表示モードの選択を入力したか否かを判定する（ステッ
プＳ５１）。表示モードには、１画面表示モードと多画面表示モードとがある。表示制御
部１３は、表示モードの選択を入力した場合（ステップＳ５１／ＹＥＳ）、選択された表
示モードは、多画面表示モードであるか否かを判定する（ステップＳ５２）。否定判定の
場合（ステップＳ５２／ＮＯ）、表示制御部１３は、１画面表示モードであると判定し、
ステップＳ５５の処理に移行する(ステップＳ５５)。また、肯定判定の場合（ステップＳ
５２／ＹＥＳ）、分割パターンの設定を入力したか否かを判定する（ステップＳ５３）。
分割パターンには、例えば、２画面分割や、４画面分割等がある。否定判定の場合（ステ
ップＳ５３／ＮＯ）、表示制御部１３は、分割パターンの設定要求を操作表示部１２に表
示させて、分割パターンの設定入力があるまで待機する。また、肯定判定の場合（ステッ
プＳ５３／ＹＥＳ）、表示制御部１３は、液晶パネル３２１の各表示領域に表示させる画
像の選択があるか否かを判定する（ステップＳ５４）。否定判定の場合（ステップＳ５４
／ＮＯ）、表示制御部１３は、操作表示部１２に、プロジェクター１に接続された各画像
供給装置２の識別情報を表示すると共に、液晶パネル３２１の表示領域を模式的に示す画
像を表示する。液晶パネル３２１の各表示領域を模式的に示す画像は、例えば、入力され
た分割パターンの設定に対応して表示領域が区切られた画像である。ユーザーは、操作表
示部１２の表示を目視しながら、画像供給装置２から供給される画像を表示させる表示領
域の選択を操作表示部１２から入力する。表示制御部１３は、操作表示部１２の入力に従
って、画像供給装置２の識別情報と、液晶パネル３２１の表示領域を識別する識別情報と
を対応付けた表示領域設定情報を作成する。なお、表示領域設定情報は、画像供給装置２
の識別情報に代えて、画像供給装置２から供給される画像データＤ１の識別情報を用いて
もよい。また、液晶パネル３２１の表示領域を識別する識別情報として、各表示領域の存
在範囲を示す液晶パネル３２１上の座標値を用いることができる。
表示制御部１３は、入力された表示モードの選択情報と、表示モードが多画面表示モー
ドの場合の分割パターンの設定情報とを画像補正部２１、ガンマ補正ＬＵＴ選択部２７及
び色むら補正ＬＵＴ選択部２８に出力する。また、表示制御部１３は、画像供給装置２の
識別情報と、液晶パネル３２１の表示領域を識別する識別情報とを対応付けた表示領域設
定情報を、画像補正部２１と画像合成部２４とに出力する。
【００６６】
表示制御部１３は、Ｉ／Ｆ部１１を介して、画像供給装置２から供給される画像データ
Ｄ１を入力したか否かを判定する（ステップＳ５５）。否定判定の場合（ステップＳ５５
／ＮＯ）、表示制御部１３は、画像データＤ１が入力されるまで待機する。また、肯定判
定の場合（ステップＳ５５／ＹＥＳ）、表示制御部１３は、入力した画像データＤ１の属
性を判定する（ステップＳ５６）。表示制御部１３は、入力した画像データＤ１の解像度
、静止画像であるか動画像であるかの判別、動画像の場合のフレームレート等の画像デー
タＤ１の属性を判定する。表示制御部１３は、入力した画像データＤ１の解像度を含む属
性を画像補正部２１に出力する。
【００６７】
次に、表示制御部１３は、判定した属性に基づいて、画像データＤ１を投射させる際の
カラーモードを選択する。表示制御部１３は、選択したカラーモードを、推奨カラーモー
ドとしてプロジェクター１の操作表示部１２に表示させ、操作表示部１２により選択入力
を受け付ける（ステップＳ５７）。表示制御部１３は、操作表示部１２からカラーモード
の選択を入力すると（ステップＳ５７／ＹＥＳ）、入力したカラーモードの選択情報をガ
ンマ補正ＬＵＴ選択部２７及び色むら補正ＬＵＴ選択部２８に出力する。具体的には、表
示制御部１３は、操作表示部１２により、推奨カラーモードの選択入力を受け付けた場合
には、選択された推奨カラーモードの情報をカラーモードの選択情報としてガンマ補正Ｌ
ＵＴ選択部２７及び色むら補正ＬＵＴ選択部２８に出力する。また、表示制御部１３は、
操作表示部１２により、推奨カラーモードとは別のカラーモードが選択された場合には、
選択されたカラーモードの選択情報をガンマ補正ＬＵＴ選択部２７及び色むら補正ＬＵＴ
選択部２８に出力する。
【００６８】
画像補正部２１は、Ｉ／Ｆ部１１を介して画像データＤ１が入力されると、まず、表示
制御部１３から入力される表示モードの選択情報により、プロジェクター１に設定された
表示モードを判定する。表示モードが多画面表示モードである場合、画像補正部２１は、
表示制御部１３から入力される分割パターンの設定情報に基づいて、各表示領域の解像度
を取得する。また、画像補正部２１は、表示制御部１３から入力される表示領域設定情報
を参照して、入力された画像データＤ１に基づく画像を表示させる液晶パネル３２１の表
示領域の情報を取得する。次に、画像補正部２１は、取得した表示領域の情報に基づいて
メモリー（図示略）を参照し、該当の表示領域の解像度の情報を取得する。画像補正部２
１は、表示領域の解像度の情報を取得すると、画像データＤ１の解像度を、取得した表示
領域の解像度に合わせるスケーリング処理を行う。また、画像補正部２１は、表示制御部
１３から入力される属性に基づいて、画像データＤ１に対して、ノイズ除去、フレーム補
間処理、画像データＤ１のフレームレートを変換する処理等の画像補正を行う（ステップ
Ｓ５８）。また、画像補正部２１は、属性に基づいて、画像データＤ１に対して、台形歪
みや樽型歪みを補正する歪み補正処理、明るさ、コントラスト、シャープネス等の画質を
調整する処理等を行う（ステップＳ５８）。画像補正部２１は、補正した画像データＤ１
をガンマ補正実行部２２に出力する。
【００６９】
ガンマ補正ＬＵＴ選択部２７には、表示制御部１３から、表示モードの選択情報、分割
パターンの設定情報及びカラーモードの選択情報が入力される。ガンマ補正ＬＵＴ選択部
２７は、入力したこれらの情報に基づいてガンマ補正ＬＵＴを選択し、選択されたガンマ
補正ＬＵＴの選択信号をガンマ補正ＬＵＴ保存部２５に出力する。ガンマ補正ＬＵＴ保存
部２５は、ガンマ補正ＬＵＴ選択部２７から入力された選択信号に従って、対応するガン
マ補正ＬＵＴをガンマ補正実行部２２に出力する。
ガンマ補正実行部２２は、ガンマ補正ＬＵＴ保存部２５から入力されるガンマ補正ＬＵ
Ｔを記憶素子に記憶させ、画像補正部２１から入力される画像データＤ１に対して、記憶
素子に記憶させたガンマ補正ＬＵＴに基づいてガンマ補正を行う（ステップＳ５９）。
【００７０】
色むら補正ＬＵＴ選択部２８には、表示制御部１３から、表示モードの選択情報、分割
パターンの設定情報及びカラーモードの選択情報が入力される。色むら補正ＬＵＴ選択部
２８は、入力したこれらの情報に基づいて色むら補正ＬＵＴを選択し、選択された色むら
補正ＬＵＴの選択信号を色むら補正ＬＵＴ保存部２６に出力する。色むら補正ＬＵＴ保存
部２６は、色むら補正ＬＵＴ選択部２８から入力された選択信号に従って、対応する色む
ら補正ＬＵＴを色むら補正実行部２３に出力する。
色むら補正実行部２３は、色むら補正ＬＵＴ保存部２６から入力される色むら補正ＬＵ
Ｔを記憶素子に記憶させ、ガンマ補正実行部２２から入力される画像データＤ１に対し、
記憶させた色むら補正ＬＵＴに基づいて色むら補正を実行する（ステップＳ６０）。
【００７１】
画像合成部２４は、色むら補正実行部２３から入力される各画像データＤ１を、表示領
域設定情報に従って、フレームメモリーの対応する領域に展開する。画像合成部２４は、
フレームメモリーに、１フレーム分の画像データが展開されると、展開された１フレーム
毎の画像を画像信号Ｄ３として表示部３０の変調制御部３５に出力する。表示部３０は、
画像処理部２０から出力される画像信号Ｄ３に基づいて投射画像ＰをスクリーンＳＣに投
射する（ステップＳ６１）。
【００７２】
以上、詳細に説明したように本実施形態は、プロジェクター１の備える表示モードであ
る１画面表示モードと、多画面表示モードとに応じて、画像データを補正するガンマ補正
ＬＵＴ及び色むら補正ＬＵＴをそれぞれに用意する。そして、プロジェクター１の表示モ
ードに対応した補正ＬＵＴを選択して、画像データのガンマ補正及び色むら補正を行う。
従って、各表示モードにおける投射画像の表示品質の向上を図ることができる。
【００７３】
また、本実施形態は、多画面表示モード用の補正ＬＵＴを、１画面表示モード用の補正
ＬＵＴとは別に作成する。これにより、スクリーンＳＣを複数の表示領域に分割して、複
数の画像供給装置２から供給される画像データに基づく投射画像を、各表示領域に並べて
表示する多画面表示モードにおける投射画像の輝度の低下を防止することができる。
【００７４】
実施形態のプロジェクター１は、表示部３０、表示制御部１３、ガンマ補正実行部２２
及び色むら補正実行部２３を備える。表示部３０は、画像を表示させる液晶パネル３２１
を備える。表示制御部１３は、液晶パネル３２１に１つの表示領域を配置する１画面表示
と、液晶パネル３２１を複数の表示領域に分割する多画面表示とを切り替えて、表示領域
毎に画像を表示させる。ガンマ補正実行部２２及び色むら補正実行部２３は、液晶パネル
３２１における表示領域の配置状態に対応して、表示領域毎に画像を補正する。従って、
画面表示を１画面表示と多画面表示とに切り替える場合であっても、液晶パネル３２１の
表示領域における配置状態に対応した画像の補正を行い、各表示態様における表示品質の
向上を図ることができる。
【００７５】
また、ガンマ補正実行部２２及び色むら補正実行部２３は、液晶パネル３２１の表示特
性に基づいて画像を補正する。従って、液晶パネル３２１の表示特性に応じた補正を行い
、表示品質の向上を図ることができる。
【００７６】
また、プロジェクター１は、表示領域毎に画像を調整し、調整後の画像を表示部３０に
表示させる画像補正部２１を備える。ガンマ補正実行部２２及び色むら補正実行部２３は
、画像補正部２１により調整された画像を、表示領域の配置状態に対応して補正する。従
って、画像に対し、表示領域の配置状態に対応した補正を行って、表示品質の向上を図る
ことができる。
【００７７】
また、本実施形態のプロジェクター１は、表示領域の配置状態に対応づけて補正データ
を記憶するガンマ補正ＬＵＴ保存部２５、色むら補正ＬＵＴ保存部２６を備える。ガンマ
補正実行部２２は、表示領域の配置状態に対応する補正データをガンマ補正ＬＵＴ保存部
２５から取得し、取得した補正データに基づき画像を補正する。同様に、色むら補正実行
部２３は、表示領域の配置状態に対応する補正データを色むら補正ＬＵＴ保存部２６から
取得し、取得した補正データに基づき画像を補正する。従って、表示領域の配置状態に対
応する補正データにより画像を補正し、表示品質の向上を図ることができる。
【００７８】
また、ガンマ補正ＬＵＴ保存部２５は、液晶パネル３２１における表示領域の配置状態
と、画像の表示画質に関する設定（カラーモード）とに対応する補正データが登録された
ガンマ補正ＬＵＴを記憶する。色むら補正ＬＵＴ保存部２６は、液晶パネル３２１におけ
る表示領域の配置状態と、画像の表示画質に関する設定（カラーモード）とに対応する補
正データが登録された色むら補正ＬＵＴを記憶する。
ガンマ補正実行部２２及び色むら補正実行部２３は、多画面表示において、液晶パネル
３２１の第１の表示領域及び第２の表示領域に画像を表示させる場合に、液晶パネル３２
１における第１の表示領域の表示位置と、第１の表示領域に表示させる画像の表示画質に
関する設定（カラーモード）とに対応する補正データを用いて画像を補正する。また、ガ
ンマ補正実行部２２及び色むら補正実行部２３は、液晶パネル３２１における第２の表示
領域の表示位置と、第２の表示領域に表示させる画像の表示画質に関する設定（カラーモ
ード）とに対応する補正データを用いて画像を補正する。従って、表示領域の配置状態と
、画像の表示画質に関する設定（カラーモード）とに応じた補正データにより画像を補正
し、表示品質の向上を計ることができる。
【００７９】
また、ガンマ補正ＬＵＴ保存部２５は、補正データとして、画像のガンマ補正に使用す
るガンマ補正データを、表示領域の配置状態と、表示パネルに表示させる画像の画質に関
する設定（カラーモード）とに対応づけて複数記憶する。従って、表示領域の配置状態と
、画像の表示画質に関する設定とに応じたガンマ補正データを用いてガンマ補正を行い、
表示品質の向上を計ることができる。
【００８０】
また、色むら補正ＬＵＴ保存部２６は、補正データとして、画像の色むら補正に使用す
る色むら補正データを、表示領域の配置状態と、前記表示パネルに表示させる画像の画質
に関する設定（カラーモード）とに対応づけて複数記憶する。従って、表示領域の配置状
態と、画像の表示画質に関する設定とに応じた色むら補正データを用いて色むら補正を行
い、表示品質の向上を計ることができる。
【００８１】
なお、この発明は上記実施形態の構成に限られるものではなく、その要旨を逸脱しない
範囲において種々の態様において実施することが可能である。例えば、光変調部３２は、
透過型の液晶パネルを３枚用いた構成に限らず、例えば３枚の反射型の液晶パネルを用い
ることも可能である。また、光変調部３２は、１枚の液晶パネルとカラーホイールを組み
合わせた方式により構成してもよい。また、光変調部３２が１枚の液晶パネル３２１を備
える場合、画像処理部２０は、ＲＧＢの各色に共通する一組のＬＵＴ、すなわち、全表示
用ガンマ補正ＬＵＴ、部分表示用ガンマ補正ＬＵＴ、全表示用色むら補正ＬＵＴ、及び部
分表示用色むら補正ＬＵＴを用いてもよい。また、色毎に上記のＬＵＴの組を保存し、液
晶パネル３２１に表示する色に合わせてＬＵＴを選択してもよい。また、光変調部３２が
３枚の液晶パネルを備える場合、画像処理部２０は、一組のＬＵＴを３枚の液晶パネルに
共通して用いてもよいし、液晶パネル毎に異なるＬＵＴを選択してもよい。
また、光変調部３２は、３枚のデジタルミラーデバイス（ＤＭＤ）を用いた方式、１枚
のデジタルミラーデバイスとカラーホイールを組み合わせたＤＭＤ方式等により構成して
もよい。光変調部３２として１枚のみの液晶パネル又はＤＭＤを用いる場合には、クロス
ダイクロイックプリズム等の合成光学系に相当する部材は不要である。また、液晶パネル
及びＤＭＤ以外にも、光源が発した光を変調可能な光変調部３２であれば問題なく採用で
きる。
【００８２】
また、表示領域設定情報は、画像供給装置２により設定することもできる。図３に示す
ように、プロジェクター１に複数の画像供給装置２Ａ，２Ｂ，２Ｃ，２Ｄを接続した構成
の場合、画像供給装置２Ａ，２Ｂ，２Ｃ，２Ｄの中から選択した任意の１台により表示領
域設定情報を設定してもよい。また、各画像供給装置２Ａ，２Ｂ，２Ｃ，２Ｄにより表示
領域設定情報を設定する場合には、各画像供給装置２Ａ，２Ｂ，２Ｃ，２Ｄが供給する画
像を、液晶パネル３２１のどの表示領域に表示させるのかの設定を、各画像供給装置２Ａ
，２Ｂ，２Ｃ，２Ｄにより設定する。
【００８３】
また、図１及び図４に示した各機能部は機能的構成を示すものであって、具体的な実装
形態は特に制限されない。つまり、必ずしも各機能部に個別に対応するハードウェアが実
装される必要はなく、一つのプロセッサーがプログラムを実行することで複数の機能部の
機能を実現する構成とすることも勿論可能である。また、上記実施形態においてソフトウ
ェアで実現される機能の一部をハードウェアで実現してもよく、あるいは、ハードウェア
で実現される機能の一部をソフトウェアで実現してもよい。その他、プロジェクター１の
他の具体的な細部構成についても、本発明の趣旨を逸脱しない範囲で任意に変更可能であ
る。
【符号の説明】
【００８４】
１…プロジェクター、２…画像供給装置、１３…表示制御部、２０…画像処理部、２１
…画像補正部（画像処理部）、２２…ガンマ補正実行部（補正部）、２３…色むら補正実
行部（補正部）、２４…画像合成部、２５…ガンマ補正ＬＵＴ保存部（記憶部）、２６…
補正ＬＵＴ保存部（記憶部）、２７…ガンマ補正ＬＵＴ選択部、２８…色むら補正ＬＵＴ
選択部、３０…表示部、４０…面測定装置、５０…画像調整装置、５１…ガンマ補正目標
演算部、５２…補正目標演算部、５３…ガンマ補正ＬＵＴ作成部、５４…色むら補正ＬＵ
Ｔ作成部、３２１…液晶パネル（表示パネル）。
【図１】
2016109840.tif 000003
【図２】
2016109840.tif 000004
【図３】
2016109840.tif 000005
【図４】
2016109840.tif 000006
【図５】
2016109840.tif 000007
【図６】
2016109840.tif 000008
【図７】
2016109840.tif 000009
【図８】
2016109840.tif 000010
【図９】
2016109840.tif 000011
【図１０】
2016109840.tif 000012
【図１１】
2016109840.tif 000013
【図１２】
2016109840.tif 000014